(57)【要約】【課題】  極めて省電力表示ができて、アナログ指針の稼動範囲に表示パネルの表示機能の自由度が連動して視認性・利便性が高い計測表示が行える電子機器。【解決手段】  アナログ指針１２を備えるとともに、このアナログ指針１２の背面に配置され針移動量を示す目盛を表示する表示パネル１４を備える。アナログ指針１２は、被測定物に応じて稼動範囲を設定可能な構成であり、表示パネル１４は、表示保持性を有する表示パネルで構成される。この表示保持性を有する表示パネル１４は、前記アナログ指針の稼動範囲に連動した少なくとも目盛表示を含む一の表示態様の表示を行う構成であり、特に、原点検出ができて表示下限及び表示上限を任意に調整できる構造を有し被測定物に応じて稼動範囲を設定可能な構成とした。【選択図】      図２
2007057274.tif 000002
【特許請求の範囲】
【請求項１】
アナログ指針を備えるとともに、このアナログ指針の背面または前面に配置され前記アナログ指針の移動量を示す目盛を表示する表示パネルを備える電子機器において、
前記表示パネルは、全部または一部を表示保持性を有する表示パネルで構成され、少なくとも目盛表示を含む一の表示態様を変更可能に表示する構成であることを特徴とする電子機器。
【請求項２】
前記表示パネルが目盛ピッチの変更を伴って表示態様を変更する場合、それに応じて前記アナログ指針が回動ピッチを変更する構成であることを特徴とする請求項１記載の電子機器。
【請求項３】
前記アナログ指針を、前記表示パネルに表示される時刻表示を指し示す時刻表示針とすることを特徴とする請求項１または２記載の電子機器。
【請求項４】
前記表示パネルに表示される時間目盛または暦目盛のピッチが変更する場合、それに応じて前記アナログ指針が回動ピッチを変更する構成であることを特徴とする請求項３記載の電子機器。
【請求項５】
前記アナログ指針を、前記表示パネルに表示される測定量表示目盛における測定値を指し示す測定値表示針とすることを特徴とする請求項１または２記載の電子機器。
【請求項６】
前記表示パネルが、規格範囲を有する被測定対象の規格範囲の下限または上限、あるいはユーザが定める特定値が前記アナログ指針の上方回動位置となるように目盛表示可能に構成され、前記アナログ指針は、前記その目盛表示に応じて回動ピッチを変更する構成であることを特徴とする請求項５記載の電子機器。
【請求項７】
前記表示パネルは、前記アナログ指針の振れのピーク値が水平回動位置または上方回動位置となるように目盛表示可能に構成され、前記アナログ指針は、前記その目盛表示に応じて回動ピッチを変更する構成であることを特徴とする請求項５記載の電子機器。
【請求項８】
前記表示パネルは、前記アナログ指針の水平回動位置を表示下限とする選択と、上方回動位置をピーク値あるいは規格上限とする選択と、のいずれか一を選択できるように目盛表示可能に構成され、前記アナログ指針は、前記その目盛表示に応じて回動ピッチを変更する構成であることを特徴とする請求項５記載の電子機器。
【請求項９】
表示態様を設定できる表示内容設定画面が表示できるようになっており、この画面への入力を通じて表示態様を任意に設定可能であるように構成され、前記アナログ指針は、前記その目盛表示に応じて回動ピッチを変更する構成であることを特徴とする請求項５記載の電子機器。
【請求項１０】
前記アナログ指針は、基準点を検出できて稼動範囲を任意に調整できる構造を有し前記表示パネルに表示される指針対象に応じて稼動範囲を変更する構成であることを特徴とする請求項５乃至９のいずれか一項記載の電子機器。
【請求項１１】
前記表示保持性を有する表示パネルは、前記アナログ指針の振れのピークレベルあるいは振れの平均値との標準偏差をグラフィカルにあるいは数値で表示する表示機能を備えていることを特徴とする請求項５記載の電子機器。
【請求項１２】
前記表示保持性を有する表示パネルは電気泳動表示装置であることを特徴とする請求項１乃至１１のいずれか一項記載の電子機器。
【発明の詳細な説明】
【技術分野】
【０００１】
本発明は、指針対象に応じて稼動範囲を設定可能であるアナログ指針を備えるとともに、針移動量を示す目盛を前記アナログ指針の稼動範囲に対応して表示する表示パネルを備える電子機器に関する。
【背景技術】
【０００２】
従来、指針対象に応じて稼動範囲を設定可能であるアナログ指針を備えるとともに、このアナログ指針の背面または前面に配置され前記アナログ指針の稼動範囲に対応する針移動量を示す目盛を表示する表示パネル（例えば車載用速度メータのメータパネルあるいは時計の文字板）を備える電子機器は、表示パネルが単なるパネル材の表面に目盛を印刷したものであり、専用設計であったので、好みの表示形態を選ぶことは制限されていた。しかも多機能の指針計、例えば被測定物に応じて稼動範囲を設定可能であるアナログ指針を有し、抵抗と電流と電圧の３種類の値を一台で計測できるマルチテスタやその類の電子機器では、１つの針で表示パネルに針が同一に振れる範囲に例えば１０ｍＡ、１００ｍＡ、１Ａといった目盛と最大値等が多重に印刷されていて、計測に際し、針は多重のインデックス目盛を指し示すから、測定者は沢山の目盛の中から必要な目盛を選択して指し示している量を読み取る必要があるので、本来の目的以外の負担になる。
また従来、例えば目盛表示が印刷されてなる指針式テスタの表示パネルにあっては、インデックス目盛、並びにその属性の線の太さや付随するフォントの種類やサイズ等の表示形態が固定されており、また電流（Ａ），電圧（Ｖ），重量（Ｋｇ）等の測定単位、並びにその位置，サイズ，文字の表示形態が固定されており、さらに表示パネルの色が固定されていた。
そこで、指針と表示保持性を有する表示器とを組み合わせ必要なときにのみ整列されたインデックスや表示文字、記号やピクチャーワードを表示・非表示できるように選択可能な機能を有する車載表示装置が提案されている（例えば特許文献１参照）。
【特許文献１】特開２００３−２３３０９３号公報
【発明の開示】
【発明が解決しようとする課題】
【０００３】
しかしながら、特許文献１に記載された車載表示装置は、セグメント形状の表示、非表示のみを制御するのであって、視認性の良い表示形態に変更できないという問題点がある。また、指針は予め決められた範囲を稼動するだけであるから目盛の位置も固定である。
【０００４】
本発明の目的は、上述した事情に鑑みてなされたものであり、アナログ指針の稼動範囲の自由度とその稼動範囲での表示パネルの表示機能の自由度を融合させ視認性・利便性が高く、省電力が図れる計測表示が行える電子機器を提供することにある。
【課題を解決するための手段】
【０００５】
上記課題を解決するため、本発明は、アナログ指針を備えるとともに、このアナログ指針の背面または前面に配置され前記アナログ指針の移動量を示す目盛を表示する表示パネルを備える電子機器において、前記表示パネルは、全部または一部を表示保持性を有する表示パネルで構成され、少なくとも目盛表示を含む一の表示態様を変更可能に表示する構成であることを特徴とする。
上記構成において、前記表示パネルが目盛ピッチの変更を伴って表示態様を変更する場合、それに応じて前記アナログ指針が回動ピッチを変更する構成とするのが好ましい。
【０００６】
この構成によれば、アナログ指針の稼動の自由度とその稼動範囲での表示パネルの表示機能の自由度を融合させることが可能となり、ユーザの要望に沿った表示が行えて、視認性・利便性が著しく向上する。
この構成によれば表示保持性を有する表示パネルには、例えば、テスタに適用した場合、従来のように０ｍＡ〜１０ｍＡ、０ｍＡ〜１００ｍＡ、０ｍＡ〜１Ａまでの３段階のインデックス目盛を並列に同時表示するのではなくて、選択した測定レンジと前記アナログ指針の稼動範囲に連動したひとつの表示態様のみを表示をすることで、視認性・利便性が高い計測表示が行える。また時計に適用した場合、表示保持性を有する表示パネルで表示する略字の配列を、例えば１２時間表示から２４時間表示に、さらに２４時間表示から不等ピッチ２４時間表示に、フレキシブルに変更表示することができ、その目盛表示のピッチに応じて、指針の回動ピッチを連動させることで多様な表示態様が実現できる。
さらに、この構成によれば、前記表示パネルの表示範囲を全部または一部としているが、たとえば前記表示パネルの全部で構成した場合は表示面積が極めて大きくなるが、この表示パネルは表示保持性を有するためダイナミック駆動する必要がないから極めて省電力となる。
【０００７】
上記構成において、前記アナログ指針を、前記表示パネルに表示される時刻表示を指し示す場合は時刻表示針とすることができる。その際前記表示パネルに表示される時間目盛または暦目盛のピッチが変更する場合、それに応じて前記アナログ指針の回動ピッチを変更する構成であることが一層望ましい。
目盛の間隔やサイズについての視認性は人それぞれに相違しているので、目盛の間隔やサイズを任意に変えられる表示機能を備えていると、測定者が、好みの目盛の間隔やサイズを選択できることが可能となり視認性・利便性が向上する。
【０００８】
また、上記構成において、前記アナログ指針を、前記表示パネルに表示される測定量表示目盛における測定値を指し示す場合は測定値表示針とすることができる。
その応用として例えば、
前記表示パネルが、規格範囲を有する被測定対象の規格範囲の下限または上限、あるいはユーザが定める特定値が前記アナログ指針の上方回動位置となるように目盛表示可能に構成し、前記アナログ指針は、前記その目盛表示に応じて回動ピッチを変更する構成とする、また前記表示パネルは、前記アナログ指針の振れのピーク値が水平回動位置または上方回動位置となるように目盛表示可能に構成し、前記アナログ指針は、前記その目盛表示に応じて回動ピッチを変更する構成とする。
また前記表示パネルは、前記アナログ指針の水平回動位置を表示下限とする選択と、上方回動位置をピーク値あるいは規格上限とする選択と、のいずれか一を選択できるように目盛表示可能に構成し、前記アナログ指針は、前記その目盛表示に応じて回動ピッチを変更する構成とする。
前記表示保持性を有する表示パネルは、表示態様を設定できる表示内容設定画面が表示できるようになっており、この画面への入力を通じて表示態様を任意に設定可能であるように構成され、前記アナログ指針は、前記その目盛表示に応じて回動ピッチを変更する構成とすることができる。またその表示内容設定画面にて回動ピッチを設定変更可能とすることもできる。
前記アナログ指針は、基準点を検出できて稼動範囲を任意に調整できる構造を有し前記表示パネルに表示される指針対象に応じて稼動範囲を変更する構成とすることができる。
前記表示保持性を有する表示パネルは、前記アナログ指針の振れのピークレベルあるいは振れの平均値との標準偏差をグラフィカルにあるいは数値で表示する表示機能を備えた構成とする。
【０００９】
上記構成によれば、表示保持性を有する表示パネルに表示する表示内容設定画面への入力を通じて、アナログ指針の０位置及び最大振れ位置に連動してインデックス目盛の規格最小値、規格最大値（測定最大値）などの表示態様を任意に設定可能であるからユーザの好みに応じた表示が行えて、視認性・利便性が非常に高まる。
【００１０】
アナログ指針は、ステッピングモータにより駆動される構成であると、フレキシブルな設定ができる。人間の視覚で容易に認知できるアナログ指針位置として垂直に振れた位置（上方回動位置）、または水平に振れた位置が存在するが例えば、メータの表示でアナログ指針の振れのピークレベルあるいは振れの平均位置などを上方回動位置、または水平回動位置に合わせたいとの要望に対し、本発明は、上記のように、前記表示保持性を有する表示パネルが、インデックスなどの最小位置、最大位置などの決め方が前記アナログ指針の位置に連動して任意に設定可能である表示機能を備えていることで、アナログ指針の振れのピークレベルをアナログ指針が水平に振れた位置に合わせることができるので、視認性・利便性が一層向上する。
【００１１】
前記表示保持性を有する表示パネルは電気泳動表示装置であってもよい。
表示パネルが電気泳動表示装置であると、偏向板が不要であり視野角を狭めることがないので視認性に優れるので好ましい。また、液晶よりも電極に倣いにくい性質から表示にジャギー（ぎざぎざ感）が出にくいためその隙間が埋まって見えることが利点になる。
【発明の効果】
【００１２】
本発明は、針移動量を示す目盛を表示する表示パネルが表示保持性を有するためダイナミック駆動する必要がないから極めて省電力となり、アナログ指針の稼動の自由度とその稼動範囲での表示パネルの表示機能の自由度を融合させることで表示態様が多様化し好みに応じた表示態様を選択することができ、視認性・利便性が高い表示が行える。
【発明を実施するための最良の形態】
【００１３】
以下、本発明の電子機器の実施形態を図面を参照して説明する。
（第１実施形態）
この実施形態は、テスタに適用した場合である。
図１は、電子機器１０の正面図であり、図２は、図１におけるII−II断面図である。この電子機器１０は、図２に示すように、装置本体１１内に、アナログ指針１２と表示パネル１４とステッピングモータ１５と制御用基板２０とを収容しており、前側開口を透明パネル２１で密閉し、後側開口を裏蓋２２で密閉し、装置本体１１の前面下部に第１スイッチ２３と、第２スイッチ２４と、第３スイッチ２５と、測定許可ランプ２６を備えるとともに、側面に測定端子（プローブ）２９ａ、２９ｂの接続ジャックを差し込み接続するプラス側接続端子（プラグ）２７とマイナス側接続端子（プラグ）２８を備えている。
【００１４】
前記表示パネル１４は、前記アナログ指針１２の背面に配置される支持パネル１３の上面に近接または密接して重ねられ前記アナログ指針１２の稼動範囲に対応する針移動量を示す目盛を表示する。
【００１５】
前記ステッピングモータ１５は、軸１５ａを前記支持パネル１３及び前記表示パネル１４に開けた孔に通して前記支持パネル１３の下面中央部に支持され軸１５ａで前記アナログ指針１２を支持し回動する。
ステッピングモータ１５は、原点検出ができて０位置及び最大振れ位置を任意に調整できる構造を有し被測定物に応じて稼動範囲を設定可能な構成である。ステッピングモータ１５は、ダイレクト駆動方式と非ダイレクト駆動方式のいずれであっても良い。ダイレクト駆動方式の場合、ステップ角未満の制御はできないが、ステップ角を単位とした論理的駆動が可能になる。ステッピングモータ１５は、減速機と組み合わせると緻密な回動を刻むことができる。減速機として歯車減速機またはＣＶＴ構造のベルト式減速機を用いることができる。ステッピングモータ１５の０位置検出に、相対方式または絶対方式の、及び無接点方式または有接点方式のいずれか一のロータリーエンコーダを採用することができる。
【００１６】
前記制御用基板２０は、前記ステッピングモータ１５を駆動するモータドライバ１６と、前記表示パネル１４を制御して目盛表示を行うディスプレイドライバ１７と、測定量計算部１８と、装置全体を制御するＭＰＵ１９とを搭載している。
装置本体１１と裏蓋２２は、真鍮製、ステンレス等の金属製又は樹脂製であり、透明パネル２１は、ガラスまたはプラスチック製である。
【００１７】
表示パネル１４は、表示保持性を有する表示パネルの１つとして、本実施形態では、電気泳動表示装置よりなり、アナログ指針の稼動範囲に連動した少なくとも目盛表示を含む一の表示態様の表示を行う。
【００１８】
電気泳動表示装置１４は、例えば、図３の概略断面図に示すように、実装基板１４ａの上面に画素電極１４ｂを備えてなる表示コントーロールパネルと、ガラスまたはプラスチックからなる透明基板１４ｃと、透明基板１４ｃの内面（下面）に形成した透明電極（共通電極）１４ｄと、画素電極１４ｂと透明電極１４ｄの隙間に挟入された電気泳動層１４ｅを備えてなる。
【００１９】
この電気泳動層１４ｅは、例えば、プラスに帯電された複数の画素となる黒粒子１４ｆと白色の電気泳動分散液１４ｇを封入したマイクロカプセル１４ｈの敷き詰め層（いわゆる１粒子系）であり、ＭＰＵ１９に記憶されたプログラムソフトの働きでディスプレイドライバ１７を介して画素電極１４ｂと透明電極１４ｄとの間で駆動電圧を印加して生起する電界によりカプセル内の黒粒子１４ｆが電気泳動して分布状態が変わり白色の電気泳動分散液１４ｇとの間で表示色が２色変化して表示を行う。
【００２０】
マイクロカプセルの敷き詰め層である電気泳動層１４ｅは、表示用ドライバ１７から駆動電圧を透明電極１４ｄと各画素電極１４ｂに供給すると、マイクロカプセルに封入された電気泳動分散液１４ｇに電界が付与され、この電気泳動分散液中にプラス極性に帯電している黒粒子１４ｆが電気泳動して表面側に移動するときは電気泳動表示装置は黒色を呈し、裏面側に移動するときは電気泳動表示装置は電気泳動分散液１４ｇで白色を呈する。
【００２１】
詳述すると、透明電極１４ｄが０Ｖ電位（アース電位）に保持され、画素電極１４ｂがプラス電位になると、プラス電位の画素電極１４ｂから０Ｖ電位の透明電極１４ｄに向かう電界が発生し、プラスに帯電した黒粒子１４ｆが透明電極１４ｄ側に移動し、これに伴って、白色の電気泳動分散液が画素電極１４ｂ側に移動する。この結果、表面側から見るマイクロカプセル１４ｈは黒色を呈する。これとは逆に図３では図示していないが、透明電極１４ｄがプラス電位、画素電極１４ｂが０Ｖ電位に保持されると、プラスに帯電した黒粒子１４ｆが画素電極１４ｂ側に移動し、この結果、表面側から見るマイクロカプセル１４ｈは白色の電気泳動分散液１４ｇにより白色を呈する。また、透明電極１４ｄと画素電極１４ｂとの間に電位差を生じない場合には、黒粒子１４ｆの移動が生じないため、画素の表示色は変化せずに以前の状態が維持される。すなわち、電気泳動表示装置は、表示に保持性を有している。
【００２２】
今、透明電極１４ｄをプラス電位、全ての画素電極を０Ｖ電位とすれば、全てのマイクロカプセル１４ｈ内の黒粒子１４ｆが後面側へ移動して電気泳動表示装置は表示画面全面が白色表示になり、また反対に、透明電極１４ｄを０Ｖ電位、全ての画素電極をプラス電位とすれば、全てのマイクロカプセル１４ｈ内の黒粒子１４ｆが前面側へ移動して電気泳動表示装置は表示画面全面が黒色表示になる。
周囲を白く、文字や数字や線を黒く表示するには、表示画面全面を白色表示した状態から、透明電極１４ｄをプラス電位から０Ｖ電位に切り替えるとともに、表示しようとする文字や数字や線に対応する画素電極を０Ｖ電位からプラス電位に切り替える。
【００２３】
電気泳動表示装置は、文字や数字や線等をフレキシブルに表示するために、画素電極１４ｂに替えて、パッシブマトリクス電極またはアクティブマトリクス電極であるのが好ましい。なお、上記とは別の方法で表示を切り替えても良い。
【００２４】
前記ＭＰＵ１９は、システムソフトウエアが格納されていてシステム全体を統合的に制御する。
図４は、この実施形態の電子機器１０の制御回路のブロック図を示す。
図４において、ＭＰＵ１９は、モータドライバ１６に制御信号を出力し、このモータドライバ１６は、制御信号に基づいてステッピングモータ１５を駆動し、このステッピングモータ１５はアナログ指針１２を回動する。
またＭＰＵ１９は、ディスプレイドライバ１７に制御信号を出力し、このディスプレイドライバ１７は、制御信号に基づいて電気泳動表示装置１４の表示制御を行う。
さらにＭＰＵ１９は、測定量計算部１８に制御信号を出力し、この測定量計算部１８は、制御信号に基づいて電気泳動表示装置１４の表示制御を行う。
【００２５】
図５は、この実施形態にかかるシステムソフトウエアの概略のフロー図を示す。
以下、このフロー図と、図４のブロック図と、計測時の表示状態を示している図１と、図６（ａ）、（ｂ）を用いて一層詳細に説明する。
この実施形態の電子機器は、電流測定計と電圧測定計と抵抗値測定計と択一的に選択できる装置である。
電源スイッチである第１スイッチ２３をオンすると（図５のステップＳ１０１）、ＭＰＵ１９に格納されたシステムソフトウエアがスタートして、図１に示すように、表示パネル１４に、「測定対象」の文字３１と、ウインドウ３２と、測定対象を選択する選択ボタン３３とを含む測定対象選択画面（図１の表示パネル１４に表示されている画面）が表示される（図５のステップＳ１０２）。
【００２６】
測定対象選択画面の初期画面では、この図示例では、測定対象種類名としてウインドウ３２に「電流測定」の文字が選択表示されるようになっており、そして、選択ボタン３３をプレスすると、電流測定と電圧測定と抵抗値測定の文字が並ぶ択一選択テーブル３４がプルダウン表示されるので、電流測定に替えて電圧測定または抵抗値測定を選択することができる（図５のステップＳ１０３，１０４，１０５）。
【００２７】
測定対象選択画面で、例えば、電流測定を選択（図５のステップＳ１０３）すると、例えば、図６（ａ）に示す電流測定用目盛を所望にデザインするための設定画面が表示される（図５のステップＳ１０６）。
図６（ａ）に示す電流測定用目盛の設定画面は、先進な設定画面表示の一例であり、表示パネル１４の上半部に規定の扇形のインデックス目盛３５が表示されるとともに、表示パネル１４の下半部に前記インデックス目盛３５をデザインするための必要な入力項目が表示される。
この入力項目は、例えば、表示下限の電流値を入力するウインドウ３６と、表示下限角度αを入力するウインドウ３７と、表示上限の電流値を入力するウインドウ３８と、インデックス目盛角度βを入力するウインドウ３９と、目盛ピッチを入力するウインドウ４０と、規格下限の電流値を入力するウインドウ４１と、規格上限の電流値を入力するウインドウ４２とが含まれることで、前記インデックス目盛３５を十分に自由にデザインできる。なお、インデックス目盛３５のデザインは、例えば、図６（ａ）に示すように、座標ａを基準に座標ｃのオフセット位置を極座標として座標ｄを入力値によって計算して描画することができる。
そこで、入力ウインドウ３６〜４２に所望数値を入力する。この数値入力は、テンキー入力でも良いが、この実施例では、入力ウインドウが順次に選択されるようになっていて、第３スイッチ２５を使ってプルダウンされる数値選択ボックスから例えば表示上限の電流値であれば１２０の数値を選択する（図５のステップＳ１０７）。
電流測定用目盛の設定画面には、選択した測定対象が電流であることが表示４３に明示される。入力項目には、ほかに図に示すように、ピーク値（同種の被測定物の測定値の最も多い分布に対応する値）表示や平均値（同種の被測定物の測定値の平均値）表示を表示または非表示として選択するチェックボックスを設けることができて、チェックボックスをチェックしたときには前記アナログ指針１２の振れのピークレベルあるいは振れの平均値との標準偏差をグラフィカルにあるいは数値で表示する表示機能を備えているものとする。
【００２８】
図６（ａ）に示す電流測定用目盛の設定画面の入力項目には、入力項目を全て入力した後にチェック記号を入力するチェックボックス４４が含まれる。
このチェックボックス４４にチェック記号を入力すると、図５のステップＳ１０８を終了し、ＭＰＵ１９は、表示パネル１４に入力した全ての値を内部メモリに記憶し、そして、必要な演算を順次に行ってから、ディスプレイドライバ１７に制御信号を出力し、このディスプレイドライバ１７が、図６（ｂ）に示すように、表示パネル１４に表示信号を出力して、表示パネル１４に電流測定用目盛が表示される（図５のステップＳ１０９）。電流測定用目盛には表示下限のマークと表示上限のマークが表示される。また、平均値（標準値に対する偏差）と測定値が表示される。電流測定中の文字を点滅表示しても良いが、測定許可ランプ２６が点灯するので差し支えない。
次に、図６（ａ）に示す電流測定用目盛の設定画面において、規格下限４１と規格下限４２の入力値に応じて、図６（ｂ）に示す電流測定用目盛４５に、「下限値」の文字とそのマーク４６を表示するとともに、「上限値」の文字とそのマーク４７を表示する。
【００２９】
次に、ＭＰＵ１９は、モータドライバ１６に制御信号を出力し、このモータドライバ１６がステッピングモータ１５を駆動し、このステッピングモータ１５がアナログ指針１２を、図６（ｂ）に示す表示パネル１４に表示したインデックス目盛４５の測定下限位置に合わせるように回動する（図５のステップＳ１１０）。
もしも、図６（ａ）に示す電流測定用目盛の設定画面の入力において、表示下限が０でないときは、アナログ指針１２を表示下限よりも低い値の側に位置するように、ＭＰＵ１９は、モータドライバ１６に制御信号を出力する。
【００３０】
次に、ＭＰＵ１９は、測定量計算部１８の測定単位系を調整する（図５のステップＳ１１１）。例えば、図６（ａ）に示す電流測定用目盛の設定画面において、表示下限を０ｍＡ、表示上限を１２０ｍＡ、インデックス目盛角度βを１２０°として入力すると、ＭＰＵ１９は、測定量計算部１８に対して、アナログ指針１２が１２０°の角度を回動するためのパルスを０ｍＡから１２０ｍＡまでの測定レンジに比例して出力する演算を行うように調整するための制御信号を出力する。
測定量計算部１８は、ＭＰＵ１９からの制御信号に基づいて、例えば、抵抗と電流と電圧の３種類の値を択一選択的に計測できるように構成されている。例えば、電流測定について、０ｍＡ〜１０ｍＡ、０ｍＡ〜１００ｍＡ、０ｍＡ〜１Ａといった測定レンジをＭＰＵ１９からの制御信号に基づいて切り替えられる。また、電圧測定について、０（Ｖ）〜１０（Ｖ）、０（Ｖ）〜１００（Ｖ）、０（Ｖ）〜２００（Ｖ）といった測定レンジをＭＰＵ１９からの制御信号に基づいて切り替えられる。これらの切り替えは、可変抵抗器を使った電流の分流や電圧の分圧を用いて行うことができる。
これらの切り替えは、メカニズムによる切り替えであっても良いが、電気的な調整であることが望ましい。
【００３１】
以上で、測定準備が完了するので、ＭＰＵ１９は、ＬＥＤからなる測定許可ランプ２６を点灯する（図５のステップＳ１１２）。これ以降、測定者は、図６（ｂ）に示すプラス接続端子２７とマイナス接続端子２８に差し込み接続した図４の測定端子のプラス端子のプローブ２９ａとマイナス端子のプローブ２９ｂとを被測定物の２接点に圧着して２接点間に流れる電流を測定することができる（図５のステップＳ１１３）。
【００３２】
上記測定が行われると、測定部計算部１８で測定電流値が計算され、測定部計算部１８が、測定電流値に比例してステッピングモータ１５を回転するためのパルス量にしてＭＰＵ１９に出力する（図５のステップＳ１１４）。そして、ＭＰＵ１９は、このパルス入力に基づいて、モータドライバ１６に必要な制御信号を出力し、これによって、モータドライバ１６が、ステッピングモータ１５に測定電流値に比例したパルス量を与え、ステッピングモータ１５が測定電流値に比例した回転をして図６（ｂ）に示すように、アナログ指針１２が表示パネル１４が表示したインデックス目盛４５の測定電流値を指し示す（図５のステップＳ１１５）。なお、アナログ指針１２の移動量だけグラフィック表示されると視認性が向上する。
図６（ａ）の設定画面で、測定レンジを０ｍＡ〜１２０ｍＡとし、振れ角度βを１２０°にすると、目盛に１ピッチは１０ｍＡであるから、規格上限の１００ｍＡを上方回動位置に来させるには、表示下限角度を−１０°として入力する。そうすると、図６（ｂ）では、規格上限の１００ｍＡが上方回動位置に来るので、測定者は、アナログ指針１２が垂直を超えるか否かを検知し易い。また、規格下限の７５ｍＡをチェックすることを重視したいならば、規格下限の７５ｍＡを上方回動位置に来るように、図６（ａ）の設定画面で調整することができる。同じように、ピーク値または平均値をアナログ指針１２の水平回動位置に持ってくることもできる。この場合も、視認性が向上する。
以上で測定表示が終了する。
【００３３】
続いて、図１に示す測定対象選択画面で電圧測定を選択した場合（図５のステップＳ１０４）、図７（ａ）に示す電圧測定用目盛の設定画面が表示される。この設定画面でも、上述した電流測定用目盛の設定画面への入力設定と同様に入力設定を行うと、図７（ｂ）に示す電流測定用目盛４８が表示される（図５のステップＳ１１６）。
ステップＳ１１６以降のステップは、電流測定を選択した場合のステップＳ１０７以降のステップと同様であるので図５ではステップを省略している。
電流測定用目盛の設定画面も電圧測定用目盛の設定画面も目盛をデザインするための１例の入力画面に過ぎない。
【００３４】
また、図１に示す測定対象選択画面で抵抗値測定を選択した場合（図５のステップＳ１０５）、抵抗値測定用目盛の設定画面が表示される（図５のステップＳ１１７）。ステップＳ１１７以降のステップも、電流測定を選択した場合のステップＳ１０７以降のステップと同様であるので図５ではステップを省略している。
【００３５】
上記構成の実施形態によれば、アナログ指針の稼動範囲の自由度と表示パネルの表示機能の自由度が融合した視認性・利便性が高い計測表示が行える。そして、表示パネル１４に表示保持性を有する表示パネルを採用したので、文字板をダイナミック駆動する必要がなく、画像が劣化したときだけに再描画することから、再描画インターバルが長くなるほど電池寿命を延ばすことが可能になり極めて省電力となる。中でも、電気泳動表示装置を採用したので、偏向板が不要であり、液晶よりも電極に倣いにくい性質から表示にジャギー（ぎざぎざ感）が出にくいためその隙間が埋まって見える利点がある。
上記構成の実施形態によれば、アナログ指針を採用しているので、表示パネルにアナログ指針をイメージした描画を行う場合に比べて、アナログ指針がリアルタイムで動き、さらに信号のゆれや変化の速度がアナログ指針の挙動となって感知できる。
上記構成の実施形態によれば、表示保持性を有する表示パネル１４が、インデックス目盛の最小位置、最大位置などの決め方がアナログ指針１２の位置に連動して任意に設定可能である表示機能を備えており、他方、アナログ指針１２は、ステッピングモータ１５により回動される構造であり、原点検出ができて表示下限と表示上限を任意に調整できる構造を有し被測定物に応じて稼動範囲（測定レンジ）を設定可能な構成であるので、前記アナログ指針１２を規格下限または規格上限を人間の視覚で感知できる上方回動位置に来るように調整でき、あるいは、ピーク値を同様に人間の視覚で感知できる水平回動位置に来るように調整でき、さらには、さらに、前記アナログ指針は、水平回動位置を表示下限とする選択と、上方回動位置をピーク値あるいは規格上限とする選択とのいずれかを選択できて、前記表示保持性を有する表示パネル１４もアナログ指針１２の稼動範囲に合わせて目盛を表示できるので、視認性・利便性が高い。
例えば、メータなら規格上限をメータ指針最上部したいとの要望があるが、この構成の実施形態によれば、アナログ指針１２の測定下限を、水平位置では無くて、水平位置よりも下側に角度を持った位置に来るようにするとともに、アナログ指針１２の規格上限を真上位置に来るようにして、かつ、目盛表示もそのように対応させられる。
具体的には、一の被測定物については０（Ｖ）〜１００（Ｖ）の測定レンジであり許容最大値が９０（Ｖ）であるときにアナログ指針１２が前上位置の９０（Ｖ）を指すように目盛表示でき、また他の被測定物については０（Ｖ）〜８０（Ｖ）の測定レンジであり許容最大値が７０（Ｖ）であるときにアナログ指針が前上位置の７０（Ｖ）を指すように目盛表示を切り替えられるので、視認性・利便性が向上する。
なお、本発明において、上方回動位置とは表示パネル１４を立面にしたときに針先が真上を指し示す場合を示す。
【００３６】
（第２実施形態）
この実施形態は、時計に適用した場合である。
図８は、腕時計の正面図であり、図９は、腕時計の縦断側面図である。この腕時計５０は、装置本体５１と、装置本体５１に連結された時計バンド５２とを備えて構成されている。
【００３７】
装置本体５１は、時計ケース５３を備え、この時計ケース５３の内部に、ムーブメント５４と、このムーブメント５４の上側に中央の設けた貫通孔に前記ムーブメント５４の中央に備える三重軸構造の針取付体（時針取付体、分針取付体、秒針取付体）５５を通している文字板を構成する表示パネル（表示パネル）５６と、表示パネル５６の上側に針取付体５５に取着される表示指針（アナログ指針//時針５７ａ、分針５７ｂ、秒針５７ｃ）等を収容し、時計ケース５３の表側開口を透明カバー６０で閉じられ、また裏側開口を裏蓋６１で閉じられて内部の密封性や防水性が確保され、透明カバー６０を通して表示パネル５６と表示指針５７ａ〜５７ｃを視認可能である（図９参照）。
【００３８】
透明カバー６０は、圧入リング６２を介して時計ケース５３に圧入固定されている。表示パネル５６は、時計ケース５３に設けた円形張出部５３ａの裏面側端面との間にスペーサ６３を当てがいかつ裏面外周部に押圧リング６４を当てがい、封止部材６５を挟んで裏蓋６１の時計ケース５３への螺締めによって固定されている。
【００３９】
時計ケース５３及び裏蓋６１は、真鍮製、ステンレス等の金属製又は樹脂製であり、透明カバー６０は、ガラス製又は樹脂製であり、圧入リング６２は、金属製又は樹脂製である。
【００４０】
図８に示すように、時計ケース５３には、３時位置に対応する側面に竜頭５８が設けられ、また、反対側の側面に第１操作子５９ａ、第２操作子５９ｂ、第３操作子５９ｃが設けられている。
【００４１】
竜頭５８は、押し込まれた状態ではフリー回転し、一段階引き出した状態では運針機構内の輪列を介して分針５７ｂと係合するようになっており、従って、竜頭５８を回すことで分針５７ｂを回して位置調整できるように構成されている。さらに、竜頭５８は、二段階引き出した状態では運針機構内の輪列を介して時針５７ａと係合するようになっており、従って、竜頭５８を回すことで時針５７ａを回して位置調整できるように構成されている。
【００４２】
表示パネル５６は、アナログ時計の文字板に相当する構成要素であり、表示保持性を有する表示パネルで構成されていて、表示部全体を構成していて、図１０及び図１１に示す略字７９の可変表示と、暦（本例では七曜と六曜）の可変表示等を行う。
本実施形態の表示パネル５６は、図２及び図３に示す表示パネル１４と同様に、電気泳動表示装置を用いてフレキシブルなグラフィックディスプレイとして構成されている。電気泳動表示装置の構成・表示原理は既述したので説明を省略する。
この表示パネル５５は、第１操作子５９ａと第２操作子５９ｂと第３操作子５９ｃを押し込み操作することにより、後述する制御回路７２の制御プログラムによって可変表示できる。
【００４３】
第１操作子５９ａは、押し込み操作を行う毎に、表示パネル５６が図１０の（ａ）→（ｂ）→（ｃ）→（ｄ）→（ａ）のように循環式に略字配列を可変表示できるように構成されているものとする。詳述する。
【００４４】
図１０（ａ）に示す１２時間表示が行われているときに、第１操作子５９ａを押し込むと、図１０（ｂ）に示す２４時間表示に略字の配列表示を変更できるように構成されている。次に、図１１（ｂ）に示す２４時間表示が行われているときに、第１操作子５９ａを押し込むと、図１０（ｃ）に示すように、１８時から６時までの１２時間を中心角が１２０°となり上側左右対称に配置される不等ピッチ２４時間表示に略字の配列表示を変更できるように構成されている。次に、図１０（ｃ）に示す不等ピッチ２４時間が行われているときに、第１操作子５９ａを押し込むと、図１０（ｄ）に示すように、１８時から６時までの１２時間を中心角が１２０°となりかつ１８時位置が上側に配置される不等ピッチ２４時間表示に略字の配列表示を変更できるように構成されている。次に、図１０（ｄ）に示す不等ピッチ２４時間が行われているときに、第１操作子５９ａを押し込むと、図１０（ａ）に示すように、１２時間表示に略字の配列表示を変更できるように構成されている。
【００４５】
表示パネル５６は、第２操作子５９ｂの押し込み操作により、図１０の（ａ）→（ｂ）→（ｃ）→（ａ）のように循環式に七曜（日、月、・・・金、土の表示態様と、Ｓ、Ｍ、・・・Ｆ、Ｓの英字頭文字の表示態様）及び六曜（先負、友引、・・・大安、赤口）を可変表示するように構成されている。
【００４６】
すなわち、図１０（ａ）に示すように、漢字の七曜が表示されているときに、第２操作子５９ｂの押し込み操作を行うと、図１０（ｂ）に示すように、七曜の英語頭文字の表示に切り替わる。さらに、図１０（ｂ）に示す七曜表示が行われているときに、第２操作子５９ｂの押し込み操作を行うと、図１０（ｃ）に示すように、六曜の表示に切り替わる。さらに、第２操作子５９ｂの押し込み操作を行うと、漢字の七曜表示に切り替わるように構成されている。
【００４７】
表示パネル５６は、図１０（ａ）、（ｂ）に示すように、曜日針７６の旋回角度９０°の範囲に七曜（日、月、・・・、金、土）を１５°間隔で表示するように構成されている。これに対応して、曜日針７６は、毎日午前零時になるときに、日→月→火→水→木→金→土と移動するときは、反時計周りに１５°回転し、土→日と移動するときは、時計周りに９０°回転するように構成されている。
【００４８】
さらに、表示パネル５６は、第３操作子５９ｃの押し込み操作により、図１１の（ａ）→（ｂ）→（ｃ）→（ａ）のように循環式に時差が１時間ずつ異なるワールドタイムを可変表示できるように構成されている。
【００４９】
時差が日本時間よりも１時間遅い中国の時間表示をするときは、図１１（ａ）に示す日本時間の表示から第３操作子５９ｃを１回押し込み操作する。すると、窓エリア８１にＴＫＹ（東京）の表示からＣＨＩＮＡ（中国）の表示に切り替わるとともに、略字が時計回りに３０°ずれた表示にすることができ、日本時刻よりも１時間遅い表示にすることができる。
【００５０】
また、時差が日本時間よりも１時間遅いオーストラリアのときは、図１１（ａ）に示す日本時間の表示から第３操作子５９ｃを１１回押し込み操作して、すると、窓エリア８１にＳＹＤ（シドニー）の表示に切り替わるとともに、略字が時計回りに３３０°回転した表示にすることができ、日本時刻よりも１時間早い表示にすることができる。なお、第３操作子５９ｃを１回押し込み操作する毎に、略字が反時計回りに動くようにすることは制御プログラムを変えることで可能である。
【００５１】
上述してきたように、本発明では、表示パネル５６がフレキシブルに可変表示できるようになっており、これに対応して時針５７ａと曜日針７６も表示パネル５６の可変表示に連動するようになっている。この点については、図１２に示す腕時計５１の電気的構成を示すブロック図を用いて説明する。
【００５２】
発振回路６６は、振動子６６ａを発振させて例えば３２ｋＨｚの基準クロック信号ＣＬ０を出力する。
分周回路６７は、複数の分周器が直列に接続された構成であり、基準クロック信号ＣＬ０を入力して、分周を多段に行い、最終において１Ｈｚまで分周するように構成されていて、この１Ｈｚのパルスを秒針５７ｃを駆動するための秒針駆動用基準クロック信号ＣＬ１として制御回路７２に出力するように構成されている。また、分周回路６７は、中途位置の分周器から引き出される例えば７２０Ｈｚに分周されたパルスを７２０秒毎に１パルス出力（１２分毎に１パルス出力）する時針駆動用クロック信号ＣＬ２として前記秒針駆動用基準クロック信号ＣＬ１と並列して制御回路７２に出力するように構成されている。さらに、分周回路６７は、さらに上流の中途位置の分周器から引き出される例えば８６４００Ｈｚに分周されたパルスを８６４００秒毎に１パルス出力（２４時間毎に１パルス出力）する曜日駆動用クロック信号ＣＬ３として、前記秒針駆動用基準クロック信号ＣＬ１及び前記秒針駆動用基準クロック信号ＣＬ２と並列して制御回路７２に出力するように構成されている。
【００５３】
制御回路７２は、この装置本体５２を中枢的に制御するものであり、ＣＰＵ、ＲＯＭ、ＲＡＭ等を有し、ＣＰＵがＲＯＭに記憶された制御プログラムを実行することにより、上述したように、装置本体５２の各部を制御する。制御回路７２は、略字や暦を可変表示させる場合は、可変表示する略字情報や暦情報を画像メモリ８２に書き込むことによって、ディスプレイドライバ８３により表示パネル５６に略字や暦等を可変表示させる。
この制御回路７２は、ソフトウェア処理或いはハードウェア（カウンタ等）により、上記分周回路６７から出力された所定周波数の信号を計数して暦（時刻を計時してよい）を計時する計時手段を備えていても良い。
【００５４】
制御回路７２は、１Ｈｚのクロック信号ＣＬ１を入力すると、モータドライバ６８に対して信号qを送り、これによって、モータドライバ６８は、分秒モータ（ステップモータ）７０に対して秒針５７ｃを６°回転させるための駆動パルスＳＫ１を供給して運針機構７５を駆動させて秒針５７ｃを１秒間当たり６°（＝秒針５７ｃが１秒単位で進む角度）回動させるように構成されている。
【００５５】
分針５７ｂは、運針機構７５において秒針５７ｃと輪列で連結されていて秒針５７ｃの１/６０の減速比で回転駆動する。
【００５６】
制御回路７２は、クロック信号ＣＬ２を入力すると、モータドライバ６８に対して信号ｍを送り、これによって、モータドライバ６８は、時モータ６９に対して駆動パルスＳＫ２を供給して、時針５７ａを表示パネル５６により略字７９の１２時間表示態様や２４時間表示態様等と関連させた駆動を行う。モータドライバ６８は、時針５７ａを例えば１２分毎に細かく移動させて５回移動させると１時間分の移動量となる時針駆動を行わせるために、時モータ（ステップモータ）６９を１２分毎に回転させる。
【００５７】
このときの時針５７ａを回転させる角度は、図１０（ａ）の１２時間表示では、１２分毎に時針５７ａを６°回転させて１時間５回で都合３０°進める必要があり、図１０（ｂ）の２４時間表示では、１２分毎に時針５７ａを３°回転させて１時間５回で都合１５°進める必要がある。
【００５８】
図１０（ｃ）の不等ピッチの２４時間表示の６時から１８時までの間では、１２分毎に時針５７ａを４°回転させて１時間５回で都合２０°進める必要がある。図１０（ｃ）の不等ピッチの２４時間表示の１８時から６時までの間では、１２分毎に時針５７ａを２°回転させて１時間５回で都合１０°進める必要がある。分周回路６７から１２分毎に出力するクロック信号ＣＬ２を入力するタイミングで駆動パルスＳＫ２＝ＳＫt×２となるように、制御信号ｍで選択して時モータ６９に対して駆動パルスＳＫ２を供給する。
なお、図１０（ａ）〜（ｄ）において、時針５７ａを３０°、１５°、２０°、または１０°の角度を１時間に１回行わせるようにしてもよい。
【００５９】
時モータ６９に基準駆動パルスＳＫtを供給すると時針５７ａを１°回転させることができるものとした場合、図１０（ａ）の１２時間表示では、１２分毎に時針５７ａを６°回転させて１時間５回で都合３０°進めるために、分周回路６７から１２分毎に出力するクロック信号ＣＬ２を入力するタイミングで駆動パルスＳＫ２＝ＳＫt×６となるように、制御信号ｍを決定して時モータ６９に対して供給する。
【００６０】
図１０（ｂ）の２４時間表示では、１２分毎に時針５７ａを３°回転させて１時間５回で都合１５°進めるために、分周回路６７から１２分毎に出力するクロック信号ＣＬ２を入力するタイミングで駆動パルスＳＫ２＝ＳＫt×３となるように、制御信号ｍで選択決定して時モータ６９に対して供給し、図１０（ｃ）の不等ピッチの２４時間表示の６時から１８時までの間では、１２分毎に時針５７ａを４°回転させて１時間５回で都合２０°進めるために、分周回路６７から１２分毎に出力するクロック信号ＣＬ２を入力するタイミングで駆動パルスＳＫ２＝ＳＫt×４となるように、制御信号ｍを決定して時モータ６９に対して供給する。
【００６１】
図１０（ｃ）の不等ピッチの２４時間表示の１８時から６時までの間では、１２分毎に時針５７ａを２°回転させて１時間５回で都合１０°進めるために、分周回路６７から１２分毎に出力するクロック信号ＣＬ２を入力するタイミングで駆動パルスＳＫ２＝ＳＫt×２となるように、制御信号ｍを決定して時モータ６９に対して供給する。
【００６２】
針位置検出器７７は、ロータリーエンコーダよりなり、時針５７ａの位置を検出する信号を制御回路７２に送るようになっていて、図１０の（ａ）の時間表示→（ｂ）の時間表示→（ｃ）の時間表示→（ｄ）の時間表示→（ａ）の時間表示にそれぞれ変更するときに、制御回路７２は、移動すべき位置との角度を算出してその角度だけ時針モータ６９を回転させるための必要な信号をモータドライバ６８に出力することにより、時針５７ａの針位置を移動する。
【００６３】
さらに、制御回路７２は、クロック信号ＣＬ３を入力すると、モータドライバ６８に対して信号ｎを送り、これによって、モータドライバ６８は、曜日モータ（ステップモータ）７１を一日毎に何度いずれの方向に回転させるかを決定するための、この曜日モータ７１に対して供給する駆動パルスＳＫ３のパルス数を、制御回路７２から入力する制御信号ｎに基づいて曜日モータ７１に対して供給して、曜日針７６を、表示パネル５６の曜日表示８０（図８、図１０参照）の態様と関連させた駆動を行う。
【００６４】
図１０（ａ）、（ｂ）、（ｄ）に示すように、曜日針７６の旋回角度９０°の範囲に七曜（日、月、・・・、金、土）を１５°間隔で表示する場合には、曜日針７６は、一日に１５°回転する。
【００６５】
そこで例えば、前記と同様に、曜日モータ７１に基準駆動パルスＳＫtを供給すると時針５７ａを１°回転させることができるものとした場合、日曜日から土曜日までは、駆動パルスＳＫ３＝ＳＫt×１５となるように、制御信号ｎを決定して曜日モータ７１に対して午前零時に供給するようになっていて、もって、曜日針７６を反時計周りに１５°回転させて七曜表示を指し示すように構成されている。そして、土曜日から日曜日になるときは、図１２に示す針位置検出器７８で曜日針７６が土曜日を指し示す位置に来ていることを検知して検知信号を制御回路７２に入力して、制御回路７２から内容の異なった制御信号ｎをモータドライバ６８に出力し、これによって、駆動パルスＳＫ３＝ＳＫt×９０となるように、曜日モータ７１に対して午前零時に供給するようになっていて、もって、曜日針７６を時計周りに９０°回転させて日曜を指し示すように構成されている。
【００６６】
第２操作子５９ｂの押し込み操作により、図１０（ｃ）に示すように、六曜が表示される場合には、七曜表示における土曜位置に曜日針７６が移動しないように制御される。また、六曜表示は、予め決定している六曜についての月日と対応した順序を制御回路７２のＲＯＭに書き込んでおいて、読み出して順序で曜日針７６の回転角度と回転方向を決定して制御回路７２から制御信号ｎをモータドライバ６８に出力し、これによって、分周回路６７からクロック信号ＣＬ３を入力するタイミング（午前零時）で、パルス数の駆動パルスＳＫ３を曜日モータ７１に対して供給し、曜日針７６を回転させて六曜を正しい順序で指し示すように構成されている。
なお、六曜表示を、七曜表示のときと同様に、曜日針７６の旋回角度９０°の範囲に分配表示する場合には、曜日針７６は、一日に１８°回転するように制御するように構成する。
【００６７】
操作検出部７３は、第１操作子５９ａ、第２操作子５９ｂ、第３操作子５９ｃの押し込み操作による信号を制御回路７２に通知する。
操作検出部７４は、竜頭５８を引き抜き操作して回転するときの、引き抜き位置と回転量を制御回路７２に通知する。制御回路７２は、操作検出部７４から通知される竜頭５８の回転量から、日付が変更になるか否かを判断し、日付が変更になる場合には、画像メモリ８２に日付変更データを出力する。なお、竜頭５８の回転量検出は、回転検出器を用いる方法に代えて、光学的或いは電気的に検知する方法（無接点方式、接点方式）を用いてもよい。
【００６８】
この実施形態は、略字の数や配列ピッチなどをフレキシブルに変更表示できるとともに時針を変更表示した時間表示に連動させることができる。
【００６９】
以上、図面を参照して本発明の電子機器の実施形態を詳述してきたが、本発明は、上記の実施形態に限定されるものではなく、要旨を逸脱しない範囲の種々の設計変更を含むものである。
【００７０】
上記第１実施形態では、測定レンジを自動切替する構成を例示したが、これに限らず、例えば、アナログ指針の最大振れ位置（最大回動位置）を１０ｍＡ、１００ｍＡ、１Ａの３段階の測定レンジに切り替えるための摘みを設け、この摘みにより設定された測定レンジでアナログ指針を駆動するように構成してもよい。
【００７１】
上記第１実施形態では、アナログ指針の０位置及び最大振れ位置等を任意に調整できる構成を例示したが、各位置を予め設定した複数位置のいずれかの位置に選択可能に構成してもよい。
【００７２】
上記第１実施形態において、表示パネルの前面の一部、又は、アナログ指針と表示パネルとの間の間隙に、アナログ指針の先端の移動軌跡に沿って配置される例えば円弧形状の鏡を配置してもよい。鏡を配置すると、この鏡に映ったアナログ指針の像と、アナログ指針との重なりを見て指針の読み取り誤差を低減できる。また、本発明は、上記表示パネルに透過性の表示パネルを採用することで、アナログ指針の前面に表示パネルを配置した構成とする場合も含む。このようにすると、指針とこの指針の影が重なるときの目盛を読み取ることで指針の読み取り誤差を低減できる。
【００７３】
上記第１及び第２実施形態では、表示パネルの全部を表示保持性を有する表示パネルで構成しているが、表示保持性を有する表示パネルは、目盛表示を含む一の表示態様の表示を行う部分にのみ設けても良い。
【００７４】
上記第１及び第２実施形態では、表示保持性を有する表示パネルとして、１粒子タイプの電気泳動表示装置を採用した場合を示しているが、表示保持性を有する表示パネルとしては、例えば、２粒子タイプの電気泳動表示方式、ツイストボール表示方式、磁気泳動表示方式、電子粉流表示方式、帯電トナー型表示方式、液晶表示方式（強誘電性、高分子分散型、コレステリック、光書き込み）、電解析出表示方式、エレクトロクロミック表示方式、フィルム移動表示方式など透過性、非透過性の両方のものがあり、これらのいずれかを採用した場合も含む。
【００７５】
上記第１及び第２実施形態では、アナログ指針を備えるテスタ及び腕時計に本発明を適用する場合について例示したが、これに限らず、置時計、壁掛時計、柱時計、懐中時計、電波時計等の各種時計、医療機器、温湿度計、タイマー、体重計、オーディオのＵＶメータ、楽器のチューニングメータ、自動車の各種メータ、ストップウオッチ等のアナログ指針を備える電子機器に広く適用することができる。
【００７６】
上記第１及び第２実施形態における操作装置は、スイッチに限らず、キーボード、ポインティングデバイス、あるいはタッチパネルを適用してもよい。また、上記第１実施形態のテスタにおいて、電流測定用目盛等の表示領域を小さくした場合は、電流測定用目盛等の設定項目を同一画面で入力する構成に代えて、例えば一項目単位で設定項目の入力画面を順次表示する構成を採用することが好ましい。
【００７７】
上記第１及び第２実施形態において、目盛の間隔やサイズを任意に変更可能に構成してもよい。この場合、目盛の間隔やサイズについての視認性は人それぞれに相違しているので、目盛の間隔やサイズを任意に変えられる表示機能を備えていると、測定者が、好みの目盛の間隔やサイズを選択でき視認性・利便性が向上する。車載用スピードメータにしても目盛の粗さ加減が人によって直感的に判断し易いことはある。１０Ｋｍ単位が好きな人、５Ｋｍあるいは１Ｋｍ単位が好きな人もいるので、目盛の間隔やサイズを任意に変えられる表示機能がありアナログ指針の稼動範囲が連動する構成であれば、所望のレンジが選択表示できることで、視認性・利便性が一層向上する。
【００７８】
上記第２実施形態の時計において、不等ピッチインデックス時計の目盛表示機能は、例えば、１２時または０時が時針の上方回動位置とは限らずユーザの選択肢に任せられ、例えば、ステッピングモータで駆動する指針が２４時間で１回転し、表示も２４時間表示である場合に、ギヤ比の変更を時間管理して、例えば、人の一般的な活動時間帯である８時から２０時までの１２時間分を中心角が２７０°となって表示位置が上側部分に来るとともに、人の一般的な休息時間帯である２０時から８時までの１２時間分を中心角が９０°となって表示位置が下側部分に来る、時間表示を行うことが、本発明によって達成できて、視認性・利便性が一層向上する。
【００７９】
また、上記第１及び第２実施形態における駆動源は、一次電池、二次電池又は商用電源で駆動する構成してもよい。二次電池を使用する場合、発電装置を設け、この発電装置の発電電力により二次電池を充電可能に構成してもよい。この発電装置には、例えば、時計内に回転錘を設け、この回転錘を、ユーザの腕振り等の運動エネルギーで旋回させて発電する自動巻式発電装置、上記回転錘を竜頭等で巻上可能なゼンマイの力で旋回させて発電するゼンマイ式発電装置、ある部位と他の部位との温度差（熱エネルギー）で発電する熱発電装置、又は、ソーラ発電装置等の発電装置を広く適用することが可能である。
【００８０】
上記第２実施形態では、分秒モータ７０で運針機構７５を介して秒針５７ｃを駆動し、分針５７ｂは運針機構７５で秒針５７ｃと連結され駆動される構成を示したが、秒針５７ｃと分針５７ｂを各別のステップモータで駆動する構成としても良い。
【００８１】
上記第１及び第２実施形態では、インデックス目盛の属性の線の太さや付随するフォントの種類の選択等については言及していないが、本発明は、表示保持性を有する表示装置を採用しかつマトリックスディスプレイを採用して、インデックス目盛の属性の線の太さや付随するフォントの種類やサイズ等の表示や、電流，電圧，Ｋｇ等の測定単位、並びにその位置，サイズ，文字の表示形態や、さらには表示パネルの色や、取り扱い説明、あるいはピーク値や平均値や標準偏差などの各種表示を行うようにした構成も含むものである。
【００８２】
本発明は、アナログ指針が測定レベル表示針又は時刻表示針であり、このアナログ指針が、前記表示保持性を有する表示パネルが指針対象の表示態様を変更しても前記アナログ指針の回動ピッチを変更しない構成を含む。
【００８３】
第２実施形態の図１２のブロック図において、時モータ６９を外して時針５７ａと分針５７ｂと秒針５７ｃとを運針機構７５の輪列を介して連結している構成の場合には、モータドライバ６８は分周回路６７から入力するパルスに対応して電気レベルの異なるパルスを出力する構成として、分周回路６７で時針モータ６９を所望回転させるためのパルス数をモータドライバ６８へ出力するように構成しても良い。例えば、図１０（ａ）の１２時間表示では２１６００Ｈｚ出力し、図１０（ｂ）の２４時間表示では１０８００Ｈｚ出力し、図１０（ｃ）と（ｄ）の不等ピッチの２４時間表示の１８時から６時までの間では７２００Ｈｚ出力し、６時から１８時までの間では、１４４００Ｈｚ出力させる構成とし、モータドライバ６８は分周回路６７から入力するパルスに対応して電気レベルの異なるパルスを出力する構成することによっても、表示パネル５６の可変表示に時針５７ａを連動させることができる。
【図面の簡単な説明】
【００８４】
【図１】本発明の電子機器をテスタに適用した第１実施形態の正面図である。
【図２】図１におけるII−II断面図である。
【図３】本発明の実施形態にかかる電子機器の要部拡大断面図である。
【図４】本発明の実施形態にかかる電子機器の制御を示すブロック図である。
【図５】本発明の実施形態にかかる電子機器の制御を示すフロー図である。
【図６】目盛等設定画面を表示した図１の電子機器の正面図である。
【図７】他の目盛等設定画面を表示した図１の電子機器の正面図である。
【図８】本発明の電子機器を時計に適用した第２実施形態の正面図である。
【図９】図８におけるIX−IX断面図である。
【図１０】図８の時計の表示パネルの表示形態の移り変わりを示す図である。
【図１１】図８の時計の表示パネルの別の表示形態の移り変わりを示す図である。
【図１２】図８の時計の制御を示すブロック図である。
【符号の説明】
【００８５】
１０…電子機器、１１…装置本体、１２…アナログ指針、１４…表示パネル、１５…ステッピングモータ、１６…モータドライバ、１７…ディスプレイドライバ、１８…測定量計算部、１９…ＭＰＵ、５０…腕時計、５３…時計ケース、５４…ムーブメント、５６…表示パネル、５７ａ〜５７ｃ…表示指針（アナログ指針）、６８…モータドライバ、８３…ディスプレイドライバ、６９…時モータ、７０…分秒モータ、７１…曜日モータ、７２…制御回路、７６…曜日針。
【図１】
2007057274.tif 000003
【図２】
2007057274.tif 000004
【図３】
2007057274.tif 000005
【図４】
2007057274.tif 000006
【図５】
2007057274.tif 000007
【図６】
2007057274.tif 000008
【図７】
2007057274.tif 000009
【図８】
2007057274.tif 000010
【図９】
2007057274.tif 000011
【図１０】
2007057274.tif 000012
【図１１】
2007057274.tif 000013
【図１２】
2007057274.tif 000014